(57)【要約】【課題】    強度や剛性を確保しつつ、外観意匠性に優れた扉体、およびこの扉体を備えた門扉を提供すること。【解決手段】上下左右の各枠材１１，１２，１３，１４が枠材本体部１１Ａ，１２Ａ，１３Ａ，１４Ａと、これよりも見付け寸法が小さい面材保持部１１Ｂ，１２Ｂ，１３Ｂ，１４Ｂとを有して形成されるので、扉体１０の意匠面において枠体１５が目立たず、樹脂パネル１６で構成された外観フラットな扉体１０が形成でき、意匠性を良好にすることができる。また、所定の断面寸法を有した枠材本体部１１Ａ，１２Ａ，１３Ａ，１４Ａにより、枠体１５として必要な強度、剛性が確保できる。さらに、下枠材１２の枠材本体部１２Ａと面材保持部１２Ｂとの間の隙間１２Ｃからゴミ等が排出できるので、扉体１０の美観を維持することができる。【選択図】  図３
2005226264.tif 000002
【特許請求の範囲】
【請求項１】
上下左右の枠材を枠組みして形成された枠体と、この枠体に固定された面材とを備えた扉体であって、
前記上下左右の各枠材は、枠材本体部と、この枠材本体部の見込み方向に隣接して設けられ、前記面材の四周端縁を保持する面材保持部とを有して形成されており、この面材保持部の見付け寸法が前記枠材本体部の見付け寸法よりも小さく設定されるとともに、前記枠材本体部が前記面材から離隔して設けられ、
前記上下左右の各枠材のうち、下枠材における前記枠材本体部と面材保持部との間には隙間が設けられている扉体。
【請求項２】
前記下枠材における前記枠材本体部と面材保持部とは、互いに別部材から構成され、前記隙間を介して連結されている請求項１に記載の扉体。
【請求項３】
前記面材は、光透過性材料から形成されている請求項１または請求項２に記載の扉体。
【請求項４】
請求項１から請求項３のいずれかに記載の扉体と、この扉体を支持する支持体と、この支持体に前記扉体を回動自在に連結する回動部材と、前記扉体の戸先部を構成する戸先部材とを備えた門扉であって、
前記扉体を構成する上下左右の各枠材のうち、左右の枠体は、共通の部材から形成されており、前記回動部材および戸先部材は、左右いずれの枠材に対しても取り付け可能に構成されている門扉。
【発明の詳細な説明】
【技術分野】
【０００１】
本発明は、扉体、およびこの扉体を備えた門扉に関し、詳しくは、上下左右の枠材を枠組みして形成された枠体と、この枠体に固定された面材とを備えた扉体、およびこの扉体を備えた門扉に関する。
【背景技術】
【０００２】
住宅等の敷地の内外を仕切るための出入り口として設けられた門扉が知られている（例えば、特許文献１、２参照）。
このような門扉としては、門柱や塀等に扉体が開閉可能に支持されものが一般的であり、その扉体として、四周枠組みした枠体の内側に格子やパネル材を嵌め込んだものが提案されている。
【０００３】
【特許文献１】特開２００２−３０９８７５号公報
【特許文献２】特開昭５７−８１５８５号公報
【発明の開示】
【発明が解決しようとする課題】
【０００４】
しかしながら、特許文献１、２に記載された扉体では、いずれも格子やパネル材が枠体の内側に嵌め込まれているため、扉体の外観上、格子やパネル材に各種の意匠を施したとしても、枠体が目立ってしまい、外観意匠性を向上させることが難しいという問題がある。
この際、枠体の見付け幅寸法を小さくして、枠体を目立たなくさせる対策が考えられるが、このようにすると枠体の強度や剛性が不足してしまうため、扉体としての機能を満足するのに必要な枠体の断面寸法を確保しつつ、外観上枠体を目立たなくすることが望まれていた。
【０００５】
本発明の目的は、強度や剛性を確保しつつ、外観意匠性に優れた扉体、およびこの扉体を備えた門扉を提供することにある。
【課題を解決するための手段】
【０００６】
本発明の扉体は、上下左右の枠材を枠組みして形成された枠体と、この枠体に固定された面材とを備えた扉体であって、前記上下左右の各枠材は、枠材本体部と、この枠材本体部の見込み方向に隣接して設けられ、前記面材の四周端縁を保持する面材保持部とを有して形成されており、この面材保持部の見付け寸法が前記枠材本体部の見付け寸法よりも小さく設定されるとともに、前記枠材本体部が前記面材から離隔して設けられ、前記上下左右の各枠材のうち、下枠材における前記枠材本体部と面材保持部との間には隙間が設けられていることを特徴とする。
【０００７】
ここで、面材としては、アルミやＳＵＳ等の金属製パネル、アクリルやポリカーボネート等の樹脂製パネル、繊維強化プラスチックパネル、ガラスパネル、格子状パネルなどが採用できる。
【０００８】
このような構成によれば、上下左右の各枠材が枠材本体部と面材保持部とを有して形成され、面材保持部の見付け寸法が枠材本体部よりも小さく設定されているので、面材保持部を扉体の意匠面側（例えば、敷地外方側）に配置することで、枠体を目立たなくさせることができ、外観フラットな扉体を形成して意匠性を良好にすることができる。この際、枠材本体部は、面材の裏側（意匠面の反対側）に配置されて外観上見えないので、外観意匠性を損なうことがなく、枠材本体部の断面サイズを適宜設定することで枠体の強度や剛性が確保できる。
【０００９】
また、枠材本体部が面材から離隔して設けられているので、扉体の開閉操作や風等で面材が振動しても枠材本体部にぶつかることがなく、衝突音の発生の問題を回避することができる。そして、面材として光透過性の材料（例えば、半透明材料や磨りガラス等）を用いた場合でも、枠材本体部が面材から離隔していることで、面材を通して枠材本体部が意匠面側に透けて見えることがなく、あるいは見えにくくでき、さらに外観意匠性を向上させることができる。
さらに、下枠材の枠材本体部と面材保持部との間に隙間を設けたことで、面材と枠材本体部との間に埃やゴミ等が入り込んだ場合でも、これらの埃やゴミ等が枠材本体部と面材保持部との隙間を通して扉体の外に排出されるので、扉体の美観を維持することができる。
【００１０】
この際、本発明の扉体では、前記下枠材における前記枠材本体部と面材保持部とは、互いに別部材から構成され、前記隙間を介して連結されていることが好ましい。
このような構成によれば、下枠材の枠材本体部と面材保持部とを別部材から構成したので、扉体の製造時において、面材保持部を枠材本体部に連結するだけで下枠材に隙間を形成することができ、枠材本体部および面材保持部を一体で構成し、切り欠き加工などによって隙間を形成する場合と比較して、加工手間を軽減して製造効率を向上させることができる。
【００１１】
さらに、本発明の扉体では、前記面材は、光透過性材料から形成されていることが好ましい。
ここで、光透過性材料としては、半透明の材料や、透明材料であってもその表面に凹凸等が形成された材料、孔開き板（例えば、パンチングメタル）などの材料が採用できる。
このような構成によれば、ガラスパネルや樹脂パネル等の種々の光透過性材料を面材として利用することで、扉体の外観意匠性をより一層向上させることができる。この場合でも、前述したように、枠体の枠材本体部が意匠面側から透けて見えない（見えにくい）ため、意匠性を良好に確保できる。
【００１２】
一方、本発明の門扉は、前記いずれかの扉体と、この扉体を支持する支持体と、この支持体に前記扉体を回動自在に連結する回動部材と、前記扉体の戸先部を構成する戸先部材とを備えた門扉であって、前記扉体を構成する上下左右の各枠材のうち、左右の枠体は、共通の部材から形成されており、前記回動部材および戸先部材は、左右いずれの枠材に対しても取り付け可能に構成されていることを特徴とする。
【００１３】
このような構成によれば、前述と同様の効果を奏するとともに、回動部材と戸先部材とが左右いずれの枠体に対しても取り付け可能になっているので、開き勝手が左右異なる門扉に対して、扉体を共通化することができる。
【発明を実施するための最良の形態】
【００１４】
以下、本発明の一実施形態を図面に基づいて説明する。
図１は、本発明の一実施形態に係る門扉１を示す正面図である。図２は、門扉１の横断面図であり、図１に矢視II−II線で示す断面図である。図３は、門扉１の縦断面図であり、図１に矢視III−III線で示す断面図である。なお、各図においては、主要構成部品の断面を示すハッチングが省略されている。
【００１５】
門扉１は、例えば戸建て住宅等の敷地の内外を仕切るための出入り口として設けられものであって、地面２から立設された支持体としての２本の門柱３と、これらの門柱３に開閉自在に支持された大小２つの扉４，５とを備えて構成されている。
門柱３は、アルミ形材製であり、地中に埋設された図示しない基礎に下端が固定され、片持ち状に上方に延びて立設されている。この門柱３に対して扉４，５は、回動部材である上下２つの丁番（ヒンジ）６で連結され、この丁番６を中心に回動可能に支持されている。また、大小２つの扉４，５は、扉本体としての扉体１０と、この扉体１０の戸先側（門柱３の反対側）に固定された戸先部材である戸先框７，８とを有して構成されている。そして、これらの戸先框７，８には、互いに係合して扉４，５を閉じる図示しないラッチやラッチ受けが設けられるとともに、大きい方（図１中、右側）の扉４の戸先框７には、扉４を開閉する際に手で掴んで回転させ、ラッチを出没させるための操作レバー９が設けられている。
なお、戸先框７，８には、電気信号により開錠、施錠の切り替えが可能な電気錠などが組み込まれていてもよい。
【００１６】
大小２つの扉４，５の扉体１０は、それぞれ略同様の構造を有している。すなわち、扉体１０は、上下左右の枠材１１，１２，１３，１４（上枠材１１、下枠材１２、縦枠材１３，１４）を四周枠組みした枠体１５と、この枠体１５に固定された面材としての樹脂パネル１６とを備えて構成されている。
すなわち、左右の縦枠材１３，１４のうち、一方（吊元側）の縦枠材１３に丁番６が固定され、他方（戸先側）の縦枠材１４に戸先框７，８が固定されている。
樹脂パネル１６は、半透明の樹脂製（例えば、アクリルやポリカーボネート）であり、つまり光透過性材料から形成されている。
なお、面材としては、樹脂パネル１６に限らず、アルミやＳＵＳ等の金属製パネル、繊維強化プラスチックパネル、ガラスパネル、格子状パネルなどでもよく、また半透明に限らず、透明でもよいし不透明でもよく、複数の孔を開けたものでもよい。
【００１７】
枠材１１，１２，１３，１４は、それぞれアルミ押出形材製であって、上下の枠材１１，１２と左右の縦枠材１３，１４とは、連結プレート等を介してビス止めにより一体に枠組みされている。また、各枠材１１，１２，１３，１４は、図２、３に示すように、枠材本体部１１Ａ，１２Ａ，１３Ａ，１４Ａと、これら枠材本体部１１Ａ，１２Ａ，１３Ａ，１４Ａの敷地外方側に隣接した凹溝状の面材保持部１１Ｂ，１２Ｂ，１３Ｂ，１４Ｂとを備えて形成されている。そして、各枠材１１，１２，１３，１４の面材保持部１１Ｂ，１２Ｂ，１３Ｂ，１４Ｂには、ゴム製のガスケット１７が圧入されており、このガスケット１７に把持されて樹脂パネル１６が枠体１５に対して移動不能に固定されるようになっている。また、各枠材１１，１２，１３，１４の枠材本体部１１Ａ，１２Ａ，１３Ａ，１４Ａは、樹脂パネル１６から適宜な間隔寸法だけ離隔して設けられるようになっている。
【００１８】
各枠材１１，１２，１３，１４の面材保持部１１Ｂ，１２Ｂ，１３Ｂ，１４Ｂは、それぞれ枠材本体部１１Ａ，１２Ａ，１３Ａ，１４Ａよりも小さな見付け寸法に形成されている。つまり、面材保持部１１Ｂ，１２Ｂ，１３Ｂ，１４Ｂは、樹脂パネル１６を保持するために必要な最小限の見付け寸法（例えば、２０〜３０mm）を有していればよく、枠体１５として必要な強度や剛性は、枠材本体部１１Ａ，１２Ａ，１３Ａ，１４Ａによって確保されるようになっている。
従って、扉体１０の意匠面である敷地外方側側面においては、見付け寸法の小さい面材保持部１１Ｂ，１２Ｂ，１３Ｂ，１４Ｂが目立たず、これら面材保持部１１Ｂ，１２Ｂ，１３Ｂ，１４Ｂによって外周が囲まれた樹脂パネル１６によってフラットな外観が形成されている。
【００１９】
上枠材１１および左右の縦枠材１３，１４において、枠材本体部１１Ａ，１３Ａ，１４Ａと面材保持部１１Ｂ，１３Ｂ，１４Ｂとは、一体のアルミ形材で断面略Ｌ字形中空状に形成されている。そして、左右の縦枠材１３，１４は、図２に示すように、互いに同一断面を有して形成され、左右対称に配置されており、これらの縦枠材１３，１４の外側面には、凹溝状の係合部１３Ｃ，１４Ｃが形成されている。吊元側の縦枠材１３の係合部１３Ｃには、被係合部材であるアタッチメント６Ａを介して丁番６が固定され、戸先側の縦枠材１４の係合部１４Ｃには、戸先框７，８が係合されてビス止め固定されている。
【００２０】
下枠材１２において、枠材本体部１２Ａと面材保持部１２Ｂとは、各々別体のアルミ形材で形成されており、枠材本体部１２Ａは、断面略角形中空状に形成され、面材保持部１２Ｂは、上下に開口した断面略Ｈ字形に形成されて、その上側開口にガスケット１７が圧入されている。そして、枠材本体部１２Ａと面材保持部１２Ｂとの間には、隙間１２Ｃが形成されている。面材保持部１２Ｂは、その左右両端が縦枠材１３，１４にビス止め固定されるとともに、図３の丸囲み内に示すように、途中部分が枠材本体部１２Ａにアングルピース状の連結部材１２Ｄで連結され、枠材本体部１２Ａに一体に固定されるようになっている。また、隙間１２Ｃは、その上方の樹脂パネル１６と枠材本体部１２Ａとの間隔部分に連通されており、図中矢印で示すように、上方から樹脂パネル１６と枠材本体部１２Ａとの間に入り込んだ雨水や埃、ゴミ等は、隙間１２Ｃを通して扉体１０の下方外側に排出されるようになっている。
なお、連結部材１２Ｄは、下枠材１２の長手方向に関して１箇所に設けられてもよく、２箇所以上の複数箇所に設けられてもよい。さらに、扉体１０の見付け幅寸法が小さい場合には、連結部材１２Ｄを省略してもよい。
【００２１】
以上のような構成の門扉１の組み立て手順としては、先ず、工場等において、扉体１０を予め組み立てた上で現地に搬送する。
そして、現地において、門扉１の開き勝手に応じて、扉体１０の左右いずれかの縦枠材１３，１４に丁番６を固定し、地面２に立設された門柱３に丁番６を固定する。以上によって門扉１の組み立てが完了する。
【００２２】
このような本実施形態によれば、以下のような効果がある。
（１）すなわち、上下左右の各枠材１１，１２，１３，１４が枠材本体部１１Ａ，１２Ａ，１３Ａ，１４Ａと面材保持部１１Ｂ，１２Ｂ，１３Ｂ，１４Ｂとを有して形成され、枠材本体部１１Ａ，１２Ａ，１３Ａ，１４Ａよりも見付け寸法が小さく設定された面材保持部１１Ｂ，１２Ｂ，１３Ｂ，１４Ｂと樹脂パネル１６とから扉体１０の意匠面が構成されているので、枠体１５を目立たなくさせることができ、外観フラットな扉体１０を形成して意匠性を良好にすることができる。
【００２３】
（２）また、上下左右の各枠材１１，１２，１３，１４の枠材本体部１１Ａ，１２Ａ，１３Ａ，１４Ａは、所定の断面寸法を有し、意匠面の反対側に配置されて外観上見えないので、扉体１０の外観意匠性を損なうことがなく、門扉１の枠体１５として必要な強度、剛性が確保できる。
【００２４】
（３）また、枠材本体部１１Ａ，１２Ａ，１３Ａ，１４Ａが樹脂パネル１６から離隔して設けられているので、扉体１０の開閉操作や風等で樹脂パネル１６が振動しても枠材本体部１１Ａ，１２Ａ，１３Ａ，１４Ａにぶつかることがなく、衝突音の発生の問題を回避することができる。
【００２５】
（４）さらに、枠材本体部１１Ａ，１２Ａ，１３Ａ，１４Ａが樹脂パネル１６から離隔して設けられていることで、半透明の樹脂パネル１６を通して枠材本体部１１Ａ，１２Ａ，１３Ａ，１４Ａが意匠面側に透けて見えることがなく（あるいは見えにくくでき）、さらに外観意匠性を向上させることができる。
【００２６】
（５）また、下枠材１２の枠材本体部１２Ａと面材保持部１２Ｂとを別部材から構成したので、扉体１０の製造時において、面材保持部１２Ｂを枠材本体部枠材本体部１２Ａに連結するだけで下枠材１２に隙間１２Ｃを形成することができ、枠材本体部１２Ａおよび面材保持部１２Ｂを一体で構成し、切り欠き加工などによって隙間を形成する場合と比較して、加工手間を軽減して製造効率を向上させることができる。
【００２７】
（６）さらに、下枠材１２の枠材本体部１２Ａと面材保持部１２Ｂとの間に隙間１２Ｃを設けたことで、樹脂パネル１６と枠材本体部１２Ａとの間に雨水や埃、ゴミ等が入り込んだ場合でも、隙間１２Ｃを通して扉体１０の外に排出できるので、ゴミ等が溜まることなく、扉体１０の美観を維持することができる。
【００２８】
（７）また、半透明の樹脂パネル１６等の種々の光透過性材料を面材として利用することで、扉体１０のデザインの自由度が高くなり、外観意匠性をより一層向上させることができる。
【００２９】
（８）また、扉体１０の左右の縦枠材１３，１４が互いに同一断面を有して形成され、左右対称に配置されているので、左右いずれの縦枠材１３，１４に対しても丁番６と戸先框７，８とが取り付け可能であり、開き勝手が左右異なる門扉１に対して、扉体１０を共通化することができる。
【００３０】
なお、本発明は、前記各実施形態に限定されるものではなく、本発明の目的を達成できる他の構成等を含み、以下に示すような変形等も本発明に含まれる。
例えば、前記実施形態では、戸建て住宅等の敷地の内外を仕切るための出入り口としての門扉１について説明したが、門扉１の設置場所は特に限定されるものではなく、住宅以外の建物に付属して設けられてもよく、また建物に関係なく屋外施設に付属して設けられてもよい。
【００３１】
また、前記実施形態では、大小２つの扉４，５を有する門扉１について説明したが、このような親子タイプの門扉に限らず、１枚扉（片開き）や２枚扉（両開き）タイプの門扉であってもよい。
また、前記実施形態では、扉４，５が門柱３に支持されていたが、これに限らず、門塀やフェンス支柱等に扉４，５が支持されていてもよい。
また、前記実施形態では、下枠材１２の枠材本体部１２Ａと面材保持部１２Ｂとを別部材から構成したが、これらは一体に形成されてもよく、これらの間に前記隙間１２Ｃが設けられていればよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３３】
【図１】本発明の一実施形態に係る門扉を示す正面図である。
【図２】前記門扉の横断面図であり、図１に矢視II−II線で示す断面図である。
【図３】前記門扉の縦断面図であり、図１に矢視III−III線で示す断面図である。
【符号の説明】
【００３４】
１…門扉、３…支持体である門柱、６…回動部材である丁番、７，８…戸先部材である戸先框、１０…扉体、１１…上枠材、１２…下枠材、１３，１４…縦枠材、１１Ａ，１２Ａ，１３Ａ，１４Ａ…枠材本体部、１１Ｂ，１２Ｂ，１３Ｂ，１４Ｂ…面材保持部、１２Ｃ…隙間、１５…枠体、１６…面材である樹脂パネル。
【図１】
2005226264.tif 000003
【図２】
2005226264.tif 000004
【図３】
2005226264.tif 000005